(57)【要約】【課題】双方向通信が可能なタグを用いて、掲示物に記載される情報の電子的な発信に加え、顧客の持つ携帯端末に掲示物に関連する電子的価値情報を発行又は収受して、掲示物を媒介としたサービスを行うことの可能な掲示物用電子的価値情報授受方法、及びタグ並びにシステム装置を提供。【解決手段】掲示物と、双方向通信可能な送受信機能部４とのデータの送受信制御を行い、受信したデータに基づき格納された情報から指定されたデータを送信する制御機能部１と、当該制御機能部１の制御命令により電子的価値情報の発行又は収受を行う電子的価値情報発行収受機能部２と、当該制御機能部１に対して電力を供給する電源部３と、を具備するタグαと、当該タグαと双方向通信が可能な携帯端末と、当該タグαと当該携帯端末とそれぞれ通信可能な第１及び第２の端末装置とを具備する特徴的構成手段の採用。【選択図】図１
2004318366.tif 000002
【特許請求の範囲】
【請求項１】
掲示物に貼付され、かつ、携帯端末と双方向通信が可能なタグから、
当該掲示物に関する情報を発信するとともに、
前記携帯端末に対して電子的価値情報の発行処理又は収受処理を行う、
ことを特徴とする掲示物用電子的価値情報授受方法。
【請求項２】
前記タグは、
予め、前記掲示物に関する情報が事前に格納されるとともに、別途用意された第１の端末装置と交信可能としておき、
前記携帯端末から、前記掲示物に関する情報を要求されると、
折り返し、当該携帯端末に、事前に格納され、かつ、要求された前記情報を発信するのに伴い、前記電子的価値情報の発行処理又は収受処理を行う、
ことを特徴とする請求項１に記載の掲示物用電子的価値情報授受方法。
【請求項３】
前記電子的価値情報の発行処理は、
前記タグにおいて、前記携帯端末から前記電子的価値情報の発行要求を受信すると、
まず、当該タグにて当該電子的価値情報を発行して当該携帯端末へ送信し、
次いで、当該携帯端末にて受信した当該電子的価値情報を蓄積し、
その後、当該携帯端末から別途用意する第２の端末装置に送信して、
当該第２の端末装置にて当該電子的価値情報を収受する、
以上の一連の処理を実施する、
ことを特徴とする請求項２に記載の掲示物用電子的価値情報授受方法。
【請求項４】
前記電子的価値情報の収受処理は、
前記携帯端末から前記タグに対して前記電子的価値情報を送信すると、
当該タグにて当該電子的価値情報を収受蓄積する、
ことを特徴とする請求項２又は３に記載の掲示物用電子的価値情報授受方法。
【請求項５】
前記第１の端末装置は、
前記タグにて前記携帯端末から収受した前記電子的価値情報を回収して、
当該電子的価値情報の集計解析を行う、
ことを特徴とする請求項２、３又は４に記載の掲示物用電子的価値情報授受方法。
【請求項６】
前記電子的価値情報の収受処理は、
まず、前記タグから前記携帯端末に対して発信されたアンケート形式にて構成される前記掲示物に関する情報を、予め送信し、
次いで、当該情報を当該携帯端末が受信蓄積して、当該情報の回答を含む前記電子的価値情報を作成し、
引続き、当該電子的価値情報を当該携帯端末から当該タグに送信し、
その結果、当該タグにて当該電子的価値情報を収受する、
以上の一連の処理を実施する、
ことを特徴とする請求項２、３、４又は５に記載の掲示物用電子的価値情報授受方法。
【請求項７】
前記電子的価値情報の発行処理又は収受処理は、
事前に前記第１の端末装置により前記タグに前記電子的価値情報を発行又は収受するための発行収受情報を書き込んでおき、
当該タグにて当該発行収受情報に基づき、当該電子的価値情報を発行又は収受を行う、
ことを特徴とする請求項２、３、４、５又は６に記載の掲示物用電子的価値情報授受方法。
【請求項８】
前記タグは、
まず、前記情報の発信に先立って、前記携帯端末から前記情報の要求を受信するまで、消費電力を抑えたスタンバイ状態で待機し、
次いで、当該要求の受信により、通常電力消費状態に復帰し、
引続き、当該要求に応じた当該情報を発信した後に、
再び、前記スタンバイ状態に戻る、
ことを特徴とする請求項２、３、４、５、６又は７に記載の掲示物用電子的価値情報授受方法。
【請求項９】
前記タグは、
まず、前記携帯端末から受信した前記情報の要求に対して、当該要求内容を判断し、
次いで、事前に格納された前記情報から当該要求内容に合致する前記情報を検索して、
その後、当該検索により検出した前記情報を前記携帯端末へ発信する、
ことを特徴とする請求項２、３、４、５、６、７又は８に記載の掲示物用電子的価値情報授受方法。
【請求項１０】
掲示物に関する情報を格納して、当該掲示物に貼付される双方向通信手段を具備するタグであって、
当該双方向通信手段とのデータの送受信制御を行い、受信したデータに基づき格納された前記情報から指定されたデータを送信する制御機能部と、
当該制御機能部の制御命令により電子的価値情報の発行又は収受を行う電子的価値情報発行収受機能部と、
当該制御機能部に対して電力を供給する電源部と、を具備する、
ことを特徴とする掲示物用電子的価値情報授受機能付きタグ。
【請求項１１】
前記双方向通信手段は、
外部端末と赤外線による双方向通信が可能な送受信機能部である、
ことを特徴とする請求項１０に記載の掲示物用電子的価値情報授受機能付きタグ。
【請求項１２】
前記制御機能部は、
消費電力を抑えたスタンバイ状態で待機して、前記データの送受信制御の実行時のみ前記電源部から供給される電力を消費する通常電力消費状態に復帰するよう機能構成される、
ことを特徴とする請求項１０又は１１に記載の掲示物用電子的価値情報授受機能付きタグ。
【請求項１３】
前記電子的価値情報発行収受機能部は、
前記電子的価値情報を発行又は収受するための情報を含む発行収受情報を更新可能に保持するよう機能構成する、
ことを特徴とする請求項１０、１１又は１２に記載の掲示物用電子的価値情報授受機能付きタグ。
【請求項１４】
前記制御機能部は、
前記電子的価値情報発行収受機能部にて保持される発行収受情報の書き込み及び読み取りを外部端末から行うための情報インタフェース部を接続装備する、
ことを特徴とする請求項１０、１１、１２又は１３に記載の掲示物用電子的価値情報授受機能付きタグ。
【請求項１５】
前記情報インタフェース部は、
前記電子的価値情報発行収受機能部にて収受、蓄積された前記電子的価値情報を外部端末に送信する機能を有する、
ことを特徴とする請求項１４に記載の掲示物用電子的価値情報授受機能付きタグ。
【請求項１６】
掲示物と、当該掲示物に関する情報が事前に格納されて当該掲示物に貼付される双方向通信が可能なタグと、当該タグと双方向通信が可能な携帯端末と、当該タグと当該携帯端末とそれぞれ通信可能な第１及び第２の端末装置とで構築される掲示物用電子的価値情報授受システム装置であって、
前記タグは、
請求項１０、１１、１２、１３、１４又は１５に記載の掲示物用電子的価値情報授受機能付きタグである、
ことを特徴とする掲示物用電子的価値情報授受システム装置。
【請求項１７】
前記タグと前記携帯端末は、
相互に、赤外線による双方向通信が可能に機能構成される、
ことを特徴とする請求項１６に記載の掲示物用電子的価値情報授受システム装置。
【請求項１８】
前記第１の端末装置は、
前記タグに対して、事前に前記電子的価値情報を発行又は収受するための発行収受情報を書き込み可能に機能構成される、
ことを特徴とする請求項１６又は１７に記載の掲示物用電子的価値情報授受システム装置。
【請求項１９】
前記第１の端末装置は、
前記携帯端末から前記タグに収受された前記電子的価値情報を、読み取り通信回収可能に機能構成される、
ことを特徴とする請求項１６、１７又は１８に記載の掲示物用電子的価値情報授受システム装置。
【請求項２０】
前記携帯端末は、
前記タグから受信した前記電子的価値情報を蓄積可能とするとともに、
当該蓄積された当該電子的価値情報を通信を介して前記第２の端末装置にて収受可能に機能構成される、
ことを特徴とする請求項１６、１７、１８又は１９に記載の掲示物用電子的価値情報授受システム装置。
【発明の詳細な説明】
【０００１】
【発明の属する技術分野】
本発明は、掲示物用電子的価値情報授受方法、及び機能付きタグ並びにシステム装置に関し、詳しくは、掲示物と、当該掲示物に関する情報が事前に格納されて当該掲示物に貼付される双方向通信が可能な前記タグと、当該タグと双方向通信が可能な携帯端末と、当該携帯端末と当該タグとそれぞれ通信可能な、第１と第２の端末装置とに適用される掲示物用電子的価値情報授受方法、並びにその実施に直接使用される掲示物用電子的価値情報授受機能付きタグ及びシステム装置に係わる。
【０００２】
【従来の技術】
従来、双方向通信が可能な赤外線タグを掲示物に貼付して、掲示物に記載された情報を目視で読み取ったり、書き留めたりする場合に赤外線を通信手段に用いたタグから情報を受信して、この掲示物に関する情報を忘れたり、書き間違えたりする問題点を解決する方法が提案されていた。
【０００３】
なお、上記掲示物に赤外線タグを貼付して情報を発信する技術の詳細については、下記の特許文献に記載されている。
【特許文献】
特開２００２−２５８７８８
【０００４】
【発明が解決しようとする課題】
ところが、従来の掲示物の情報取得技術に適用されたタグでは、情報の発信方向がタグから携帯端末への１方向のみであるとともに、タグ内部に電子的な価値情報を発行して携帯端末へ送信する、あるいは携帯端末からの電子的な価値情報を収受して蓄積する等の機能を具備するものではなく、掲示物に記載されている情報と同じ情報を単に電子的に発信するのみであり、掲示物を媒介とした新たなサービスを展開することが困難であった。
【０００５】
また、広告物の掲示には多額の費用がかかるにもかかわらず、タグから携帯端末への１方向の情報発信機能しかないものであるから、携帯端末を利用してタグから掲示物の情報を受信する顧客の関心度など、顧客側の情報を収集することができないために、どのくらい多くの人が広告物に掲示した内容に関心を持っているか、掲示物の効果把握が難しいものであった。
【０００６】
ここにおいて、本発明の解決すべき主要な目的は、次のとおりである。
【０００７】
即ち、本発明の第１の目的は、双方向通信が可能なタグを用いて、掲示物に記載される情報の電子的な発信に加え、顧客の持つ携帯端末に掲示物に関連する電子的価値情報を発行して、掲示物を媒介としたサービスを行うことの可能な掲示物用電子的価値情報授受方法、及び機能付きタグ並びにシステム装置を提供せんとするものである。
【０００８】
本発明の第２の目的は、双方向通信が可能なタグを用いて、掲示物に関連する電子的価値情報を顧客が持つ携帯端末から受信して、掲示物を媒介としたサービスを行うことの可能な掲示物用電子的価値情報授受方法、及び機能付きタグ並びにシステム装置を提供せんとするものである。
【０００９】
本発明の他の目的は、明細書、図面、特に特許請求の範囲の各請求項の記載から、自ずと明らかとなろう。
【００１０】
【課題を解決するための手段】
まず、本発明方法においては、掲示物に貼付され、かつ、携帯端末と双方向通信が可能なタグから、当該掲示物に関する情報を発信するとともに、前記携帯端末に対して電子的価値情報の発行処理又は収受処理を行う、という特徴的構成手法を講じる。
【００１１】
一方、本発明タグにおいては、掲示物に関する情報を格納して、当該掲示物に貼付される双方向通信手段を具備するタグであって、当該双方向通信手段とのデータの送受信制御を行い、受信したデータに基づき格納された情報から指定されたデータを送信する制御機能部と、当該制御機能部の制御命令により電子的価値情報の発行又は収受を行う電子的価値情報発行収受機能部と、当該制御機能部に対して電力を供給する電源部と、を具備させる、という特徴的構成手段を講じる。
【００１２】
他方、本発明システム装置においては、上記本発明タグを具備させる、という特徴的構成手法を講じる。
【００１３】
さらに、具体的詳細に述べると、当該課題の解決では、本発明が次に列挙する上位概念から下位概念に亙る新規な特徴的構成手法又は手段を採用することにより、前記目的を達成するよう為される。
【００１４】
即ち、本発明方法の第１の特徴は、掲示物に貼付され、かつ、携帯端末と双方向通信が可能なタグから、当該掲示物に関する情報を発信するとともに、前記携帯端末に対して電子的価値情報の発行処理又は収受処理を行ってなる、掲示物用電子的価値情報授受方法の構成採用にある。
【００１５】
本発明方法の第２の特徴は、上記本発明方法の第１の特徴における前記タグを、予め、前記掲示物に関する情報が事前に格納されるとともに、別途用意された第１の端末装置と交信可能としておき、前記携帯端末から、前記掲示物に関する情報を要求されると、折り返し、当該携帯端末に、事前に格納され、かつ、要求された前記情報を発信するのに伴い、前記電子的価値情報の発行処理又は収受処理を行ってなる、掲示物用電子的価値情報授受方法の構成採用にある。
【００１６】
本発明方法の第３の特徴は、上記本発明方法の第２の特徴における前記電子的価値情報の発行処理を、前記タグにおいて、前記携帯端末から前記電子的価値情報の発行要求を受信すると、まず、当該タグにて当該電子的価値情報を発行して当該携帯端末へ送信し、次いで、当該携帯端末にて受信した当該電子的価値情報を蓄積し、その後、当該携帯端末から別途用意する第２の端末装置に送信して、当該第２の端末装置にて当該電子的価値情報を収受する、以上の一連の処理を実施してなる、掲示物用電子的価値情報授受方法の構成採用にある。
【００１７】
本発明方法の第４の特徴は、上記本発明方法の第２又は第３の特徴における前記電子的価値情報の収受処理を、前記携帯端末から前記タグに対して前記電子的価値情報を送信すると、当該タグにて当該電子的価値情報を収受蓄積してなる、掲示物用電子的価値情報授受方法の構成採用にある。
【００１８】
本発明方法の第５の特徴は、上記本発明方法の第２、第３又は第４の特徴における前記第１の端末装置を、前記タグにて前記携帯端末から収受した前記電子的価値情報を回収して、当該電子的価値情報の集計解析を行ってなる、掲示物用電子的価値情報授受方法の構成採用にある。
【００１９】
本発明方法の第６の特徴は、上記本発明方法の第２、第３、第４又は第５の特徴における前記電子的価値情報の収受処理を、まず、前記タグから前記携帯端末に対して発信されたアンケート形式にて構成される前記掲示物に関する情報を、予め送信し、次いで、当該情報を当該携帯端末が受信蓄積して、当該情報の回答を含む前記電子的価値情報を作成し、引続き、当該電子的価値情報を当該携帯端末から当該タグに送信し、その結果、当該タグにて当該電子的価値情報を収受する、以上の一連の処理を実施してなる、掲示物用電子的価値情報授受方法の構成採用にある。
【００２０】
本発明方法の第７の特徴は、上記本発明方法の第２、第３、第４、第５又は第６の特徴における前記電子的価値情報の発行処理又は収受処理を、事前に前記第１の端末装置により前記タグに前記電子的価値情報を発行又は収受するための発行収受情報を書き込んでおき、当該タグにて当該発行収受情報に基づき、当該電子的価値情報を発行又は収受を行ってなる、掲示物用電子的価値情報授受方法の構成採用にある。
【００２１】
本発明方法の第８の特徴は、上記本発明方法の第２、第３、第４、第５、第６又は第７の特徴における前記タグを、まず、前記情報の発信に先立って、前記携帯端末から前記情報の要求を受信するまで、消費電力を抑えたスタンバイ状態で待機し、次いで、当該要求の受信により、通常電力消費状態に復帰し、引続き、当該要求に応じた当該情報を発信した後に、再び、前記スタンバイ状態に戻ってなる、掲示物用電子的価値情報授受方法の構成採用にある。
【００２２】
本発明方法の第９の特徴は、上記本発明方法の第２、第３、第４、第５、第６、第７又は第８の特徴における前記タグを、まず、前記携帯端末から受信した前記情報の要求に対して、当該要求内容を判断し、次いで、事前に格納された前記情報から当該要求内容に合致する前記情報を検索して、その後、当該検索により検出した前記情報を前記携帯端末へ発信してなる、掲示物用電子的価値情報授受方法の構成採用にある。
【００２３】
一方、本発明タグの第１の特徴は、掲示物に関する情報を格納して、当該掲示物に貼付される双方向通信手段を具備するタグであって、当該双方向通信手段とのデータの送受信制御を行い、受信したデータに基づき格納された前記情報から指定されたデータを送信する制御機能部と、当該制御機能部の制御命令により電子的価値情報の発行又は収受を行う電子的価値情報発行収受機能部と、当該制御機能部に対して電力を供給する電源部と、を具備してなる、掲示物用電子的価値情報授受機能付きタグの構成採用にある。
【００２４】
本発明タグの第２の特徴は、上記本発明タグの第１の特徴における前記双方向通信手段が、外部端末と赤外線による双方向通信が可能な送受信機能部である、掲示物用電子的価値情報授受機能付きタグの構成採用にある。
【００２５】
本発明タグの第３の特徴は、上記本発明タグの第１又は第２の特徴における前記制御機能部が、消費電力を抑えたスタンバイ状態で待機して、前記データの送受信制御の実行時のみ前記電源部から供給される電力を消費する通常電力消費状態に復帰するよう機能構成されてなる、掲示物用電子的価値情報授受機能付きタグの構成採用にある。
【００２６】
本発明タグの第４の特徴は、上記本発明タグの第１、第２又は第３の特徴における前記電子的価値情報発行収受機能部が、前記電子的価値情報を発行又は収受するための情報を含む発行収受情報を更新可能に保持するよう機能構成してなる、掲示物用電子的価値情報授受機能付きタグの構成採用にある。
【００２７】
本発明タグの第５の特徴は、上記本発明タグの第１、第２、第３又は第４の特徴における前記制御機能部が、前記電子的価値情報発行収受機能部にて保持される発行収受情報の書き込み及び読み取りを外部端末から行うための情報インタフェース部を接続装備してなる、掲示物用電子的価値情報授受機能付きタグの構成採用にある。
【００２８】
本発明タグの第６の特徴は、上記本発明タグの第５の特徴における前記情報インタフェース部が、前記電子的価値情報発行収受機能部にて収受、蓄積された前記電子的価値情報を外部端末に送信する機能を有してなる、掲示物用電子的価値情報授受機能付きタグの構成採用にある。
【００２９】
他方、本発明システム装置の第１の特徴は、掲示物と、当該掲示物に関する情報が事前に格納されて当該掲示物に貼付される双方向通信が可能なタグと、当該タグと双方向通信が可能な携帯端末と、当該タグと当該携帯端末とそれぞれ通信可能な第１及び第２の端末装置とで構築される掲示物用電子的価値情報授受システム装置であって、前記タグが、上記本発明タグにおける第１、第２、第３、第４又は第５の特徴における掲示物用電子的価値情報授受機能付きタグである、掲示物用電子的価値情報授受システム装置の構成採用にある。
【００３０】
本発明システム装置の第２の特徴は、上記本発明システム装置の第１の特徴における前記タグと前記携帯端末が、相互に、赤外線による双方向通信が可能に機能構成されてなる、掲示物用電子的価値情報授受システム装置の構成採用にある。
【００３１】
本発明システム装置の第３の特徴は、上記本発明システム装置の第１又は第２の特徴における前記第１の端末装置が、前記タグに対して、事前に前記電子的価値情報を発行又は収受するための発行収受情報を書き込み可能に機能構成されてなる、掲示物用電子的価値情報授受システム装置の構成採用にある。
【００３２】
本発明システム装置の第４の特徴は、上記本発明システム装置の第１、第２又は第３の特徴における前記第１の端末装置が、前記携帯端末から前記タグに収受された前記電子的価値情報を、読み取り通信回収可能に機能構成されてなる、掲示物用電子的価値情報授受システム装置の構成採用にある。
【００３３】
本発明システム装置の第５の特徴は、上記本発明システム装置の第１、第２、第３又は第４の特徴における前記携帯端末が、前記タグから受信した前記電子的価値情報を蓄積可能とするとともに、当該蓄積された当該電子的価値情報を通信を介して前記第２の端末装置にて収受可能に機能構成されてなる、掲示物用電子的価値情報授受システム装置の構成採用にある。
【００３４】
【発明の実施の形態】
以下、本発明の実施の形態につき貼付図面を参照しつつ、そのタグ例と装置例及びこれに対応する方法例を説明する。
【００３５】
（タグ例）
まず、図１は、本発明の装置例に係る掲示物用電子的価値情報授受機能付きタグの機能構成図である。
【００３６】
同図に示すように、本タグ例に係るタグαは、データの送受信制御を行い、受信したデータに基づき格納された情報から指定されたデータを送信する制御機能部１と、この制御機能部１に制御されて保持する発行収受情報に基づき電子的価値情報の発行又は収受を行う電子的価値情報発行収受機能部２と、制御機能部１に対して必要な電力を供給する例えば小型電池又は太陽電池等の電源部３とを有して構成される。
【００３７】
さらに、タグαは、制御機能部１にてデータ送信制御される双方向通信手段として、例えば外部端末と赤外線を用いた双方向通信が可能に機能構成される送受信機能部４と、制御機能部１に接続装備されて、電子的価値情報発行収受機能部２に記録された発行収受情報の書き込み及び読み込みを外部の端末から行うための情報インタフェース部５を具備する。
【００３８】
ここで、制御機能部１は、データの送受信制御を実行時にのみ電源部３から供給される電力を消費して、予め設定された時間データの送受信制御が行われない場合の制御機能待機時には、消費電力を抑えたスタンバイ状態で待機するよう、電源部１から供給される消費電力の制御も実行可能に機能構成される。
【００３９】
さらに、電子的価値情報発行収受機能部２は、電子的価値情報を発行又は収受するための情報を含む発行収受情報を更新可能に保持して、電子的価値情報を収受した場合に、この電子的価値情報を保存、蓄積して、この蓄積された電子的価値情報を情報インタフェース部５を介して外部に接続された端末に送信可能に機能構成される。
【００４０】
なお、本タグ例におけるタグαは、事前に貼付される掲示物に関する情報が格納されており、この格納された情報は、制御機能部１にて保持するように構築されても構わず、また、別に備えた記憶手段に格納して制御機能部１により読み出し可能に機能構成されても構わない。
【００４１】
（装置例）
次に、図２は、図１に示したタグが適用された掲示物用電子的価値情報授受システム装置のネットワーク構成図である。
【００４２】
同図に示すように、本発明の装置例に係る掲示物用電子的価値情報授受システム装置βは、タグαと、タグαが貼付された掲示物１１と、タグαと双方向通信が可能な携帯端末１２と、携帯端末１２と通信可能な第２の端末装置１３あるいはタグαと通信可能な第１の端末装置１４とで構築される。
【００４３】
ここで、タグαは、事前に掲示物１１に関する情報が格納されており、具備する送受信機能部４により、携帯端末１２と例えば赤外線による双方向通信が可能に機能構築されて、この双方向通信手段によりタグαと携帯端末１２との間でデータの送受信が可能となる。
【００４４】
このタグαが貼付される掲示物１１は、例えば、広告媒体、展示物等であり、この掲示物１１を掲示するにあたり、掲示物１１に関する情報と合わせて掲示物１１に貼付されるタグαから携帯端末１２に対して発行する例えば電子クーポン等の電子的価値情報が設定されて、あるいは、例えば電子投票等の所望のアンケート形式が情報として設定される。
【００４５】
また、携帯端末１２は、例えば携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、小型軽量なノートパソコン等であり、タグαと双方向通信が可能に機能構築されて、電子的価値情報の保存、蓄積が可能なものであり、例えば画面出力や音声出力等が可能な出力手段、携帯端末１２の利用者からの入力手段等を合わせて具備してもよい。
【００４６】
一方、第２の端末装置１３は、例えば店頭に設置されるＰＯＳ（Ｐｏｉｎｔ  Ｏｆ  Ｓａｌｅ  ）端末等であり、携帯端末１２と、例えば赤外線を用いた通信が可能に構築されて、携帯端末１２に蓄積された電子的価値情報を収受して、この電子的価値情報に基づき、例えば割引サービス等のサービスが提供可能なものである。
【００４７】
また、第１の端末装置１４は、タグαに、情報インタフェース部５を介して、掲示物１１の情報を格納するために、掲示物１１に関する情報をタグαに書き込む機能を有し、加えて、タグαの電子的価値情報発行収受機能部２に電子的価値情報を発行又は収受するための発行収受情報の書き込み可能に機能構成される。
【００４８】
さらに、第１の端末装置１４は、携帯端末１２から送信された電子的価値情報を受信して収受、蓄積した電子的価値情報発行収受機能部２から、この蓄積された電子的価値情報を読み取り、回収する機能を有することにより、複数の電子的価値情報の集計、分析等が可能になる。
【００４９】
なお、本発明における電子的価値情報は、掲示物１１に関する電子的な価値を有するものであり、例えば、タグαから発行されて第２の端末装置１３にて収受される電子クーポンや電子整理券、あるいは、携帯端末１２を利用する利用者により作成されてタグαにて収受される電子アンケートや電子投票券等がある。また、電子的価値情報は、タグαにて発行又は収受されるものであるが、必ずしも、第２の端末装置１３にて収受され、又は第１の端末装置１４にて回収されるものとは限らない。
【００５０】
（方法例）
続いて、以上のように構成された装置例に係る掲示物用電子的価値情報授受システム装置βにより実施される方法例を説明する。
【００５１】
はじめに、タグαは、第１の端末装置１４により、タグαの具備する情報インタフェース部５を介してタグαを初期化及び掲示物１１に関する情報及び電子的価値情報を発行又は収受するための発行収受情報が書き込まれ、タグαは掲示物１に関する情報及び発行収受情報を格納した状態で掲示物１１に貼付される。このとき、タグαは、新たにデータを送受信するまで、消費電力を抑えたスタンバイ状態で待機しているものとする。
【００５２】
まず、図３は、図１乃至図２に示したタグαから携帯端末１２に対して電子的価値情報の発行処理を行う一動作例を説明するためのシーケンス図であり、タグαは、第１の端末装置１４により、先に電子的価値情報を発行するための発行収受情報が電子的価値情報発行収受機能部２に書き込まれたものとする。
【００５３】
同図に示すように、まず、タグαは消費電力を抑えたスタンバイ状態にて待機しており（ＳＴ１）、携帯端末１２は、タグαに対して、掲示物１１に関する情報の要求及び携帯端末１２を特定するための携帯端末情報を送信する（ＳＴ２）。このとき、例えば携帯端末１２に備えた画面出力手段等に、掲示物情報の取得確認の出力をなし、合わせて具備する入力手段から取得決定押下されることで情報要求するようにすることもできる。
【００５４】
次いで、携帯端末１２から送信された情報要求及び携帯端末情報の受信を受けて、タグαはスタンバイ状態から通常電力消費状態に復帰、起動して、受信した携帯端末情報の確認を行い（ＳＴ３）、タグαが格納する掲示物１１に関する情報として、例えばその情報一覧である情報メニューを、携帯端末情報により特定される携帯端末１２に赤外線を用いた送受信機能部４から発信する（ＳＴ４）。
【００５５】
タグαから情報メニューを受信した携帯端末１２は、受信した情報メニューを画面出力手段に出力して（ＳＴ５）、出力された情報メニューから、携帯端末１２の利用者からタグαに格納された情報を任意に選択指定されて、例えばここでは、タグαが発行する電子クーポン等の電子的価値情報が選択指定された場合に、この電子的価値情報の発行要求をタグαに送信する（ＳＴ６）。
【００５６】
ここで、発行要求がなされた電子的価値情報は、予め第１の端末装置１４によりタグαの電子的価値情報発行授受機能部２に書き込まれた発行収受情報に基づき電子的価値情報発行授受機能部２が発行することが可能な電子的価値情報であり、ＳＴ５にて事前にタグαに格納された掲示物１１に関する情報と合わせて電子的価値情報の内容等を出力されるようにしても構わず、ここで発行可能な電子的価値情報は複数であっても構わない。
【００５７】
続いて、発行要求を携帯端末１２から受信したタグαは、受信した発行要求の内容を判断して、発行要求の内容に該当する選択指定された電子的価値情報を、予め第１の端末装置１４により設定された発行収受情報に基づき発行して（ＳＴ７）、発行された電子的価値情報を携帯端末１２に赤外線を用いた双方向通信手段を介して送信する（ＳＴ８）。
【００５８】
タグαから電子的価値情報を受信した携帯端末１２は、この電子的価値情報を携帯端末１２内部に保存、蓄積して（ＳＴ９）、このとき、例えば、具備する画面出力手段により、取得した電子的価値情報を出力するようにしてもよく、携帯端末１２の利用者に電子的価値情報の取得を通知するようにしてもよい（ＳＴ１０）。
【００５９】
ＳＴ１０にて携帯端末１２において、ＳＴ６にて発行要求した電子的価値情報が正常に取得されたことが確認されたときには、タグαに対して電子的価値情報取得の確認応答を行う（ＳＴ１１）ことで、タグαにおいても電子的価値情報が正常に発行されたことが判断され、続いてこの電子的価値情報の発行処理を、電子的価値情報の発行数としてカウントしてカウント数を記録する（ＳＴ１２）。
【００６０】
以上の発行手順が完了した後に、タグαは、再度送受信が行われるまで、ＳＴ１同様の消費電力を抑えたスタンバイ状態にて待機する（ＳＴ１３）。なお、上記した電子的価値の発行手順の途中であっても、携帯端末１２との双方向通信が予め設定された時間を越えて中断された場合にも、スタンバイ状態としてタグαの消費電力を節約することも可能である。
【００６１】
次に、図４は、図１乃至図２に示した携帯端末１２に蓄積された電子的価値情報を第２の端末装置１３にて収受する一動作例を説明するためのシーケンス図であり、携帯端末１２は、例えば上記したＳＴ１乃至ＳＴ１３を経て既に電子的価値情報を保存、蓄積したものである。
【００６２】
まず、携帯端末１２において、具備する画面出力手段等により既に取得して蓄積された電子的価値情報を出力して、携帯端末１２の利用者により併せ持つ入力手段から押下入力されることでこの電子的価値情報の利用が決定されて、携帯端末１２から第２の端末装置１３に向けて電子的価値情報を送信する（ＳＴ２１）。このとき、携帯端末１２と第２の端末装置１３との双方向通信は例えば赤外線を用いたものとする。
【００６３】
次に、携帯端末１２から送信された電子的価値情報を受信した第２の端末装置１３は、この電子的価値情報を確認するとともに、収受して（ＳＴ２２）、この電子的価値情報に基づいたサービス、例えば、電子的価値情報が電子クーポンであった場合には、その電子的価値情報に基づく割引処理（ＳＴ２３）を行う。
【００６４】
一方、携帯端末１２の利用者に利用される電子的価値情報を送信した携帯端末１２は、この電子的価値情報を削除して（ＳＴ２４）、第２の端末装置１３は、電子的価値情報の利用の完了の旨を携帯端末１２に通知する（ＳＴ２５）。電子的価値情報の利用完了の旨が通知された携帯端末１２は、このとき、電子的価値情報の利用完了を画面出力手段により利用者に通知することもできる。
【００６５】
続いて、図５は、図１乃至図２に示したタグαが携帯端末１２から電子的価値情報を受信して収受する一動作例を説明するためのシーケンス図であり、タグαは、第１の端末装置１４により、先に電子的価値情報を収受するための発行収受情報が電子的価値情報発行収受機能部２に書き込まれたものとする。
【００６６】
同図に示すように、まず、タグαはＳＴ１及びＳＴ１３と同様に、消費電力を抑えたスタンバイ状態で待機している（ＳＴ３１）。このタグαに対して携帯端末１２は、タグαが貼付されている掲示物の情報要求、及び携帯端末情報の送信を行い（ＳＴ３２）、情報要求の為されたタグαがデータ送受信状態に復帰して携帯端末情報の確認を行う（ＳＴ３３）までの過程は、上記したＳＴ１乃至ＳＴ３と同一のものである。
【００６７】
次に、タグαは、掲示物１１に関する情報として、携帯端末１２に向けて、アンケート形式を有する掲示物情報を発信する（ＳＴ３４）。この掲示物情報を受信した携帯端末１２は、掲示物情報を保存、蓄積するとともに、画面出力手段によりアンケート形式を含む掲示物情報を出力して（ＳＴ３５）、携帯端末１２の利用者にこの掲示物情報を通知する。
【００６８】
続いて、画面出力手段に出力された掲示物情報のアンケート形式に基づき、携帯端末１２利用者により入力手段から入力されたこのアンケート形式に対する回答を電子的価値情報として作成して（ＳＴ３６）、アンケート形式に対する回答からなる電子的価値情報をタグαに向けて送信して、タグαにて電子的価値情報として受信する（ＳＴ３７）。
【００６９】
タグαにて受信した電子的価値情報は、タグαの電子的価値情報発行収受機能部２において収受、蓄積される（ＳＴ３８）。その後、タグαは再度ＳＴ１、ＳＴ１３及びＳＴ３１と同等のスタンバイ状態に戻る（ＳＴ３９）。
【００７０】
ここで、ＳＴ３４において、タグαから掲示物情報を発信する前に、上記したＳＴ４乃至ＳＴ５によるタグαが格納する情報一覧である情報メニューを携帯端末１２に送信して、携帯端末１２の利用者により所望の情報を選択要求させる手順を挟むように設定されても構わない。
【００７１】
ところで、上記ＳＴ３８にて蓄積された電子的価値情報は、適宜、第１の端末装置１４により回収されて、回収された電子的価値情報は第１の端末装置１４または、他の外部装置（図示しない）により集計、解析等の処理がなされる。顧客の関心度や嗜好の調査、あるいは、評価や感想等を集めることができる。
【００７２】
なお、上記した電子的価値情報をタグαが収受する処理手順においても、手順の途中において、タグαと通信端末１２との双方向通信が事前に設定された時間以上の間隔が空いた場合、その時点で、タグαはスタンバイ状態にて受信を待機することで、消費する電力を節約することが可能である。
【００７３】
また、上記ＳＴ３１乃至ＳＴ３８を経てアンケート形式の回答を含む電子的価値情報をタグαにて回収した後に、上記ＳＴ６乃至ＳＴ１２を経て電子クーポン等の電子的価値情報の発行を為すように、事前に第１の端末装置１４によりタグαを設定することにより、例えば、携帯端末１２の利用者は、電子アンケートに回答した後に、電子クーポンを取得可能にして、顧客の関心や嗜好を調査することも可能である。
【００７４】
さらに、上記ＳＴ３５において、掲示物情報を携帯端末１２に出力する際に、例えば、この掲示物情報が、タグαが格納する掲示物１１の情報であった場合に、携帯端末１２が具備する音声出力手段を用いて、音声出力させるようにしても構わない。
【００７５】
以上、本発明の実施の形態につき、その装置例及びこれに対応する方法例を挙げて説明したが、本発明は、必ずしも上述した手段及び手法にのみ限定されるものではなく、後述する効果を有する範囲内において、適宜、変更実施することが可能なものである。
【００７６】
【発明の効果】
以上、詳細に説明したように、本発明によれば、双方向通信が可能なタグに電子的な価値情報を発行、収受する機能を採用したことにより、単にタグが貼付される掲示物に関する情報を発信するだけでなく、電子クーポンの配布や電子アンケートの回収など、電子的な価値情報の授受を必要とする新たなサービスに適用することが可能となる。
【００７７】
また、掲示物に関する情報を電子的に発信することにより顧客に関心を持たせるだけではなく、電子的な価値情報を発行することにより、顧客を店舗まで誘導することが可能であり、電子クーポンの発行前に電子アンケートの回収を組み合わせることにより、掲示物に対する顧客の関心度や嗜好を調査することも可能となる。
【００７８】
さらに、電子的な価値情報を収受することが可能であることから、顧客の携帯端末から電子投票券や電子アンケートを回収、集計することが可能であることにより、タグが貼付された掲示物に関する情報の発信だけではなく、掲示物に対する顧客からの評価や感想を回収することが可能となる。
【図面の簡単な説明】
【図１】本発明のタグ例に係る掲示物用電子的価値情報授受機能付きタグの機能構成図である。
【図２】図１に示したタグが適用された掲示物用電子的価値情報授受システム装置のネットワーク構成図である。
【図３】図１乃至図２に示したタグαから携帯端末１２に対して電子的価値情報を発行する一動作例を説明するためのシーケンス図である。
【図４】図１乃至図２に示した携帯端末１２に蓄積された電子的価値情報を第２の端末装置１３にて収受する一動作例を説明するためのシーケンス図である。
【図５】図１乃至図２に示したタグαが携帯端末１２から電子的価値情報を受信して収受する一動作例を説明するためのシーケンス図である。
【符号の説明】
α…掲示物用電子的価値情報授受機能付きタグ
β…掲示物用電子的価値機能授受システム装置
１…制御機能部
２…電子的価値情報発行収受機能部
３…電源部
４…送受信機能部
５…情報インタフェース部
１１…掲示物
１２…携帯端末
１３…第２の端末装置
１４…第１の端末装置
【図１】
2004318366.tif 000003
【図２】
2004318366.tif 000004
【図３】
2004318366.tif 000005
【図４】
2004318366.tif 000006
【図５】
2004318366.tif 000007